(57)【特許請求の範囲】
【請求項１】
加熱調理器の側面を囲むようにキッチンキャビネットに設けられた調理器設置部の下方開口部を塞ぐことが可能な仕切板と、前記仕切板を前記下方開口部の周囲に固定可能な固定部材とを備えて、前記加熱調理器から発生する熱が前記下方開口部から前記加熱調理器の下方に伝達されるのを抑制するキッチンキャビネットの遮熱体であって、
前記仕切板は、第１及び第２仕切板を備えて、両者を互いに重ね合わせた状態で奥行き方向に摺動させることにより、その奥行き方向の長さを前記下方開口部の奥行き方向の長さに応じて調整可能に構成され、かつ、前記奥行き方向と直交する横方向の少なくとも一方の側端部近傍に、前記仕切板に対する前記固定部材の取り付け位置を前記横方向に調整可能な調整部が設けられた、キッチンキャビネットの遮熱体。
【請求項２】
前記仕切板は、前記第１仕切板と前記第２仕切板のいずれかに設けた段差部分で重ね合わせた、請求項１に記載のキッチンキャビネットの遮熱体。
【請求項３】
前記調整部は、前記横方向に伸びるように形成された１つ又は複数の穴を有する、請求項１又は２に記載のキッチンキャビネットの遮熱体。
【請求項４】
前記調整部の前記穴は、切り欠き穴又は長穴である、請求項３に記載のキッチンキャビネットの遮熱体。
【請求項５】
さらに、前記仕切板の前記奥行き方向に伸びる表面部分に沿った面を有する第１取付部と、前記下方開口部の周囲の前記奥行き方向に伸びる側面部分に沿った面を有する第２取付部とを備える保持部材を備え、
前記固定部材は、
前記表面部分と前記第１取付部とを固定可能な第１固定部材と、
前記側面部分と前記第２取付部とを固定可能な第２固定部材と、
を有して、
前記保持部材を介して前記仕切板を前記下方開口部の周囲に固定可能である、請求項１〜４のいずれか１つに記載のキッチンキャビネットの遮熱体。
【請求項６】
前記保持部材の前記第１取付部には、前記第１取付部に対する前記第１固定部材の取り付け位置を前記奥行き方向に調整可能な穴が設けられている、請求項５に記載のキッチンキャビネットの遮熱体。
【請求項７】
前記保持部材の前記穴は、前記仕切板が前記第１取付部に固定された状態において、前記仕切板又は第１固定部材によって塞がれる位置に設けられている、請求項６に記載のキッチンキャビネットの遮熱体。
【請求項８】
前記第１仕切板の前記第２仕切板側の両角部には、前記奥行き方向に伸びる切り欠き部が設けられ、
前記第２仕切板の前記第１仕切板側の両角部には、前記切り欠き部に挿入されて摺動可能なガイド部が設けられている、請求項１〜７のいずれか１つに記載のキッチンキャビネットの遮熱体。
【請求項９】
前記固定部材は、前記仕切板の前記奥行き方向又は前記横方向の移動を許容するように弾性体で構成されている、請求項１〜８のいずれか１つに記載のキッチンキャビネットの遮熱体。
【発明の詳細な説明】
【技術分野】
【０００１】
本発明は、加熱調理器を備えるキッチンキャビネットにおいて、上記加熱調理器から発生する熱が、上記加熱調理器の下方の収納部へ伝達されるのを抑える遮熱体に関する。
【背景技術】
【０００２】
従来、加熱調理器を有するキッチンキャビネットとしては、種々の構造のものが知られている。図１２〜１５を用いて、従来のキッチンキャビネットの一例を説明する。図１２は、従来のキッチンキャビネットの斜視図であり、図１３は、当該キッチンキャビネットの天板を取り外した状態を示す斜視図である。図１４は、図１２に示すキッチンキャビネットを横方向に切った縦断面図であり、図１５は、図１２に示すキッチンキャビネットを奥行き方向に切った縦断面図である。
【０００３】
従来のキッチンキャビネット１０１は、外郭を構成するキャビネット本体１１０と、当該キャビネット本体１１０に取り付けられた加熱調理器１２０とを備えている。
【０００４】
加熱調理器１２０は、シャーシ１２０ａとシャーシ１２０ａの上面を覆うトッププレートユニット１２０ｂにより外郭が構成されており、キャビネット本体１１０の上部の天板１１１に設けられた上部開口１１１ａにシャーシ１２０ａが嵌め込まれて、シャーシ１２０ａのフランジ部１２１にて懸架されている。加熱調理器１２０は、魚などを焼く加熱庫１２２やトッププレートユニット１２０ｂ上の被加熱物を加熱する誘導加熱コイル又はラジエントヒータなどの加熱手段（図示せず）を内蔵し、被調理物を加熱する際に装置自体が発熱し又は被加熱物からの熱の影響でシャーシ１２０ａが温度上昇する調理器である。加熱調理器１２０の左右には、小瓶に入った調味料などの比較的小さなアイテムを収納可能な引出式の小容量の収納部１１２，１１２が配置されている。加熱調理器１２０と各収納部１１２，１１２との間には、図１４に示すように、それぞれ側板１１３，１１３が配置されている。各側板１１３，１１３は、上端部が天板１１１に当接するようにキャビネット本体１１０に固定されている。これらの側板１１３，１１３により、加熱調理器１２０と各収納部１１２，１１２とが断熱されている。また、互いに対向する側板１１３，１１３の内側に形成される領域内が調理器設置部１１４になっている。
【０００５】
加熱調理器１２０及び各収納部１１２，１１２の下方には、鍋、食物などの比較的大きなアイテムを収納可能な扉式の大容量の収納部１１５が配置されている。調理器設置部１１４と収納部１１５とは、側板１１３，１１３の下端部間に形成される下方開口部１１６を通じて互いに連通している。
【０００６】
しかしながら、上記のように構成される従来のキッチンキャビネット１０１においては、調理器設置部１１４と収納部１１５とが互いに連通しているため、加熱調理器１２０から発生した熱が下方開口部１１６を通じて収納部１１５に伝達されるという不具合がある。この場合、収納部１１５内の温度が上昇することとなり、収納部１１５内に野菜などの食物が収納されていた場合には、当該食物が早期に腐ってしまう恐れがある。収納部１１２の温度も上昇し、その内部に収納された調味料などが変質して風味が損なわれるおそれもある。
【０００７】
一方、特許文献１には、加熱調理器本体の冷却に必要な吸気／排気経路を確保することを目的として、調理器設置部と収納部との間に仕切板を設けたキッチンキャビネットが開示されている。この特許文献１のキッチンキャビネットによれば、上記仕切板により、加熱調理器からの熱が収納部に伝達されるのを抑えることもできると考えられる。
【特許文献１】特開２００６−７３４２２号公報
【発明の開示】
【発明が解決しようとする課題】
【０００８】
近年、加熱調理器は、従来の製品に比べて、高火力で掃除が容易であるなど非常に使い勝手が良くなっている。このため、既設のキッチンキャビネットに設置された加熱調理器を、新しいものに入れ替える需要が増えてきている。
【０００９】
上記入れ替えの際、従来のキッチンキャビネット１０１のように、調理器設置部１１４と収納部１１５とが下方開口部１１６を通じて互いに連通している場合には、収納部１１５内の温度上昇を抑えることが望まれる。この温度上昇を抑える方法として、単純には、特許文献１のような仕切板を、下方開口部１１６を塞ぐように設置することが考えられる。
【００１０】
しかしながら、下方開口部１１６の寸法は、キッチンキャビネット１０１のタイプによって様々である。例えば、キッチンキャビネット１０１のサイズによる、下方開口部１１６の奥行き方向の長さの差異は約８０ｍｍ有り、下方開口部１１６の横方向の長さの差異は約２０〜３０ｍｍ有る。従って、一定のサイズの仕切板を用いた場合には、キッチンキャビネット１０１のタイプによって、大き過ぎたり、小さ過ぎたりする恐れがある。特に、仕切板の奥行き方向の長さが、図１５に示す扉１１７よりも外方へ突出する程長い場合には、扉１１７が閉まらないといった不具合が生じる。このため、仕切板を現場で切断したり、キッチンキャビネット１０１のタイプに応じた仕切板を用意したりするなどの必要性が生じる。一方、仕切板が下方開口部１１６より小さい場合には、仕切板で下方開口部１１６を完全に塞ぐことができないので、収納部１１５内の温度上昇を抑えることができない。
【００１１】
従って、本発明の目的は、上記問題を解決することにあって、キッチンキャビネットのタイプが異なっても、調理器設置部の下方開口部を適切に塞いで、収納部内の温度上昇を抑えることができるキッチンキャビネットの遮熱体を提供することにある。
【課題を解決するための手段】
【００１２】
上記目的を達成するために、本発明は以下のように構成する。
本発明の第１態様によれば、加熱調理器の側面を囲むようにキッチンキャビネットに設けられた調理器設置部の下方開口部を塞ぐことが可能な仕切板と、前記仕切板を前記下方開口部の周囲に固定可能な固定部材とを備えて、前記加熱調理器から発生する熱が前記下方開口部から前記加熱調理器の下方に伝達されるのを抑制するキッチンキャビネットの遮熱体であって、
前記仕切板は、第１及び第２仕切板を備えて、両者を互いに重ね合わせた状態で奥行き方向に摺動させることにより、その奥行き方向の長さを前記下方開口部の奥行き方向の長さに応じて調整可能に構成され、かつ、前記奥行き方向と直交する横方向の少なくとも一方の側端部近傍に、前記仕切板に対する前記固定部材の取り付け位置を前記横方向に調整可能な調整部が設けられた、キッチンキャビネットの遮熱体を提供する。
【００１３】
本発明の第２態様によれば、前記仕切板は、前記第１仕切板と前記第２仕切板のいずれかに設けた段差部分で重ね合わせた、第１態様記載のキッチンキャビネットの遮熱体を提供する。
【００１４】
本発明の第３態様によれば、前記調整部は、前記横方向に伸びるように形成された１つ又は複数の穴を有する、第１又は２態様に記載のキッチンキャビネットの遮熱体を提供する。
【００１５】
本発明の第４態様によれば、前記調整部の前記穴は、切り欠き穴又は長穴である、第３態様に記載のキッチンキャビネットの遮熱体を提供する。
【００１６】
本発明の第５態様によれば、さらに、前記仕切板の前記奥行き方向に伸びる表面部分に沿った面を有する第１取付部と、前記下方開口部の周囲の前記奥行き方向に伸びる側面部分に沿った面を有する第２取付部とを備える保持部材を備え、
前記固定部材は、
前記表面部分と前記第１取付部とを固定可能な第１固定部材と、
前記側面部分と前記第２取付部とを固定可能な第２固定部材と、
を有して、
前記保持部材を介して前記仕切板を前記下方開口部の周囲に固定可能である、第１〜４態様のいずれか１つに記載のキッチンキャビネットの遮熱体を提供する。
【００１７】
本発明の第６態様によれば、前記保持部材の前記第１取付部には、前記第１取付部材に対する前記第１固定部材の取り付け位置を前記奥行き方向に調整可能な穴が設けられている、第５態様に記載のキッチンキャビネットの遮熱体を提供する。
【００１８】
本発明の第７態様によれば、前記保持部材の前記穴は、前記仕切板が前記第１取付部に固定された状態において、前記仕切板又は第１固定部材によって塞がれる位置に設けられている、第６態様に記載のキッチンキャビネットの遮熱体を提供する。
【００１９】
本発明の第８態様によれば、前記第１仕切板の前記第２仕切板側の両角部には、前記奥行き方向に伸びる切り欠き部が設けられ、
前記第２仕切板の前記第１仕切板側の両角部には、前記切り欠き部に挿入されて摺動可能なガイド部が設けられている、第１〜７態様のいずれか１つに記載のキッチンキャビネットの遮熱体を提供する。
【００２０】
本発明の第９態様によれば、前記固定部材は、前記仕切板の前記奥行き方向又は前記横方向の移動を許容するように弾性体で構成されている、第１〜８態様のいずれか１つに記載のキッチンキャビネットの遮熱体を提供する。
【発明の効果】
【００２１】
本発明にかかるキッチンキャビネットの遮熱体よれば、仕切板が、第１及び第２仕切板を備えて、両者を互いに重ね合わせた状態で奥行き方向に摺動させることにより、仕切板の奥行き方向の長さを調整できるように構成されている。これにより、仕切板全体の奥行き方向の長さを、加熱調理器の下方の下方開口部の奥行き方向の長さに応じた適切な長さに調整することができる。
【００２２】
また、本発明にかかるキッチンキャビネットの遮熱体よれば、仕切板の横方向の少なくとも一方の側端部に、仕切板に対する固定部材の取り付け位置を横方向に調整可能な調整部が設けられている。これにより、下方開口部の横方向の長さに応じて固定部材の取り付け位置を横方向に調整することができ、仕切板を現場で切断するなどの必要性を無くすことができる。
【００２３】
したがって、本発明にかかるキッチンキャビネットの遮熱体よれば、キッチンキャビネットのタイプが異なっても、調理器設置部の下方開口部を適切に塞いで、収納部内の温度上昇を抑えることができる。
【発明を実施するための最良の形態】
【００２４】
本発明の記述を続ける前に、添付図面において同じ部品については同じ参照符号を付している。
以下、本発明の最良の実施の形態について、図面を参照しながら説明する。
【００２５】
《第１実施形態》
図１〜図５を用いて、本発明の第１実施形態にかかるキッチンキャビネットの遮熱体を説明する。図１は、本発明の第１実施形態にかかる遮熱体を備えるキッチンキャビネットの斜視図である。図２は、図１に示すキッチンキャビネットを横方向に切った縦断面図であり、図３は、図１に示すキッチンキャビネットを奥行き方向に切った縦断面図である。図４は、図３のＡ１方向から見た断面図である。図５は、本発明の第１実施形態にかかる遮熱体をキッチンキャビネットに取り付ける様子を示す一部分解斜視図である。
【００２６】
本第１実施形態にかかるキッチンキャビネット１は、外郭を構成する略箱形状のキャビネット本体１０と、当該キャビネット本体に取り付けられた加熱調理器２０とを備えている。
【００２７】
加熱調理器２０は、シャーシ２０ａとシャーシ２０ａの上面を覆うトッププレートユニット２０ｂにより外郭が構成されており、キャビネット本体１０の上部の天板１１に設けられた上部開口１１ａにシャーシ２０ａが嵌め込まれて、シャーシ２０ａのフランジ部２１にて懸架されている。加熱調理器２０は、トッププレートユニット２０ｂの下方に、例えばトッププレートユニット２０ｂ上の被加熱物を加熱する誘導加熱コイル又はラジエントヒータなどの加熱手段（図示せず）を内蔵する誘導加熱式調理器またはラジエントヒータなどの発熱体を備え、被調理物を加熱する際に装置自体が発熱する調理器である。加熱調理器２０は、魚などを焼く加熱庫２２を有していると装置自体の発熱量はさらに多くなる。
【００２８】
加熱調理器２０の左右には、小瓶に入った調味料などの比較的小さなアイテムを収納可能な引出式の小容量の収納部１２，１２が配置されている。加熱調理器２０と各収納部１２，１２との間には、図２に示すように、それぞれ側板１３，１３が配置されている。各側板１３，１３は、上端部が天板１１に当接するようにキャビネット本体１１０に固定されている。これらの側板１３，１３により、加熱調理器２０と各収納部１２，１２とが断熱されている。また、互いに対向する側板１３，１３の内側に形成される領域内が調理器設置部１４になっている。
【００２９】
加熱調理器２０及び各収納部１２，１２の下方には、鍋、食物などの比較的大きなアイテムを収納可能な扉式の大容量の収納部１５が配置されている。調理器設置部１４と収納部１５との間には、側板１３，１３の下端部間に形成される下方開口部１６（図５参照）を塞ぐように遮熱体３０が配置されている。
【００３０】
遮熱体３０は、略矩形の仕切板３１と、当該仕切板３１の両側端部を下方開口部１６の周囲である各側板１３，１３の下端部に固定する、固定部材の一例である複数のネジ３２,…,３２とを有している。仕切板３１は、略矩形の第１及び第２仕切板３３，３４を有している。第１及び第２仕切板３３，３４と複数のネジ３２,…,３２とはそれぞれ、断熱材料で構成されている。
【００３１】
第１及び第２仕切板３３，３４はそれぞれ、その奥行き方向の長さが下方開口部１６の奥行き方向の長さよりも短く形成されている。また、第１及び第２仕切板３３，３４の奥行き方向の長さを合計した長さは、下方開口部１６の奥行き方向の長さよりも長く形成されている。また、第１仕切板３３には、図３に示すように、第２仕切板３４の厚み分の段差が形成されている。この段差部分３３ａにより、第１仕切板３３の主面３３ｂと第２仕切板３４の主面３４ａとが同一平面上に位置するようになっている。これにより、側板１３の下端部に段差をつける必要がなく、仕切板３１を側板１３の下端部に容易に固定することができる。また、第１仕切板３３の段差部分３３ａ上で、第２仕切板３４を摺動させることで、下方開口部１６の奥行き方向の寸法に応じて、第１仕切板３３の前端部（図３の左側）から第２仕切板３４の後端部（図３の右側）までの奥行き方向の長さを可変することができる。すなわち、仕切板３１全体の奥行き方向の長さを調整することができる。これにより、収納部１５の扉１７が閉まらないといった不具合が生じることを無くすことができる。
【００３２】
なお、キッチンキャビネット１のタイプよる下方開口部１６の奥行き方向の長さの差異は、約８０ｍｍ以下と推測される。従って、段差部分３４の奥行き方向の長さは、約８０ｍｍ以上とすることが好ましい。
【００３３】
また、第１及び第２仕切板３３，３４は、上記奥行き方向に摺動される際に、互いの間に隙間が生じないように形成されている。これにより、加熱調理器２０からの熱が収納部１５に伝達されることをさらに抑えることができる。
【００３４】
第１及び第２仕切板３３，３４はそれぞれ、その奥行き方向と直交する横方向の長さが下方開口部１６の横方向の長さよりもやや長く形成されている。また、図４に示すように、第１及び第２仕切板３３，３４の両側端部近傍には、調整部の一例である複数の切り欠き穴３５,…,３５が形成されている。ネジ３２は、当該切り欠き穴３５を通じて側板１３の下端部にねじ込まれて、そのフランジ部で第１又は第２仕切板３３，３４を押すことにより、第１又は第２仕切板３３，３４を側板１３の下端部に固定する。切り欠き穴３５は、仕切板３１の一方の側端部から他方の側端部に向けて横方向に伸びるように形成されている。また、切り欠き穴３５は、ネジ３２のフランジ部よりも、奥行き方向の長さが短く、かつ横方向(キッチンキャビネット１の幅方向)の長さが奥行き方向の長さよりも長く形成されている。これにより、仕切板３１に対するネジ３２の取り付け位置を横方向に調整することができ、一対の側板１３，１３間の長さに応じてネジ３２をねじ込むことができる。ネジ３２が切り欠き穴３５を通じて側板１３の下端部にねじ込まれることにより、仕切板３１を側板１３の下端部に固定することができる。
【００３５】
なお、キッチンキャビネット１のタイプよる下方開口部１６の横方向の長さの差異は、約２０〜３０ｍｍ程度と推測される。従って、仕切板３１の一方の側端部近傍と他方の側端部近傍とに設ける切り欠き穴３５，３５の横方向の合計長さを、約２０〜３０ｍｍ以上とすることが好ましい。なお、切り欠き穴３５は、仕切板３１の両側端部近傍に設けることに限定されず、一方の側端部近傍にのみ設けられてもよい。
【００３６】
次に、上記のように構成される遮熱体３０の取り付け方法の一例について、図５を参照しつつ説明する。
【００３７】
まず、第１仕切板３３の段差部分３３ａに、第２仕切板３４の一部を重ね合わせる。
次いで、第１仕切板３３の前端部から第２仕切板３４の後端部までの長さが下方開口部１６の奥行き方向の長さに応じた適切な長さになるように、第１仕切板３３の段差部分３３ａ上で、第２仕切板３４を奥行き方向に摺動させる。
【００３８】
次いで、図５に示すように、一対の側板１３，１３間の長さに応じて、仕切板３１に対するネジ３２の取り付け位置を横方向に調整しながら、切り欠き穴３５を通じてネジ３２を側板１３の下端部にねじ込む。
このようにして、仕切板３１を一対の側板１３，１３のそれぞれの下端部に固定することができる。
【００３９】
以上、本発明の第１実施形態にかかる遮熱体３０によれば、仕切板３１が、第１及び第２仕切板３３，３４を備えて、両者を互いに重ね合わせた状態で奥行き方向に摺動させることにより、仕切板３１の奥行き方向の長さを調整できるように構成されている。これにより、仕切板３１の奥行き方向の長さを、加熱調理器２０の下方の下方開口部１６の奥行き方向の長さに応じた適切な長さに調整することができる。
【００４０】
また、本発明の第１実施形態にかかる遮熱体３０によれば、仕切板３１の両側端部近傍に、仕切板３１に対するネジ３２の取り付け位置を横方向に調整可能な調整部である切り欠き穴３５が設けられている。これにより、下方開口部１６の横方向の長さに応じてネジ３２の取り付け位置を横方向に調整することができ、仕切板３１を現場で切断するなどの必要性を無くすことができる。
【００４１】
また、本発明の第１実施形態にかかる遮熱体３０によれば、仕切板３１は、第１仕切板３３と第２仕切板３４のいずれかに設けた段差部分３３で重ね合わせたことにより、第１仕切板３３の主面３３ｂと第２仕切板３４の主面３４ａとが同一平面上に位置するようにでき、仕切板３１と側板１３の間に隙間をなくすために側板１３の下端部に段差をつける必要がなく、仕切板３１を側板１３の下端部に容易に固定することができる。
【００４２】
従って、本発明の第１実施形態にかかる遮熱体３０によれば、キッチンキャビネット１のタイプが異なっても、調理器設置部１４の下方開口部１６を適切に塞いで、収納部１５内の温度上昇を抑えることができる。
【００４３】
《第２実施形態》
図６〜図８を用いて、本発明の第２実施形態にかかるキッチンキャビネットの遮熱体を説明する。図６は、本発明の第２実施形態にかかる遮熱体を備えるキッチンキャビネットの横断面図である。図７は、図６のＢ１方向から見た断面図である。図８は、本発明の第２実施形態にかかる遮熱体をキッチンキャビネットに取り付ける様子を示す一部分解斜視図である。
【００４４】
本第２実施形態にかかる遮熱体３０Ａが、上記第１実施形態にかかる遮熱体３０と異なる点は、さらに一対の保持部材３６，３６を備え、保持部材３６を介して下方開口部１６の周囲に仕切板３１Ａを取り付けるように構成した点である。それ以外の点については同様であるので、重複する説明は省略しつつ、以下に説明する。
【００４５】
遮熱体３０Ａは、一対の保持部材３６と、仕切板３１Ａと、第１固定部材の一例であるボルト３２Ａ及びナット３２Ｂと、第２固定部材の一例であるネジ３２Ｃとを備えている。
【００４６】
一対の保持部材３６，３６は、図８に示すように、それぞれ、断面Ｌ字型の柱材であり、左右対称に構成されている。保持部材３６は、仕切板３１Ａの奥行き方向に伸びる表面部分に沿った面を有する第１取付部３７と、下部開口１６の周囲の上記奥行き方向に伸びる側板１３の側面部分に沿った面を有する第２取付部３８とを有している。
【００４７】
第１取付部３７には、奥行き方向の数カ所に、ボルト３２Ａを挿入可能な長穴３７ａが設けられている。長穴３７ａは、ボルト３２Ａのフランジ部よりも、横方向(キッチンキャビネット１の横幅方向)の長さが短く、かつ奥行き方向の長さが横方向の長さよりも長く形成されている。第２取付部３８には、奥行き方向の数カ所に、ネジ３２Ｃを挿入可能な丸穴３８ａが設けられている。当該丸穴３８ａを通じてネジ３２Ｃが側板１３の上記側面部分にねじ込まれることにより、側板１３の上記側面部分に沿って、保持部材３６の第２取付部３８を固定することができる。
【００４８】
仕切板３１Ａは、第１及び第２仕切板３３Ａ，３４Ａを有している。第１及び第２仕切板３３Ａ，３４Ａが、上記第１実施形態の第１及び第２仕切板３３，３４と異なる点は、切り欠き穴３５に代えて調整部である長穴３５Ａを備えている点のみである。長穴３５Ａは、ボルト３２Ａのフランジ部よりも、奥行き方向の長さが短く、かつ横方向(キッチンキャビネット１の横幅方向)の長さが奥行き方向の長さよりも長く形成されている。これにより、仕切板３１に対するボルト３２Ａの取り付け位置を横方向に調整することができ、一対の保持部材３６，３６の互いの長穴３７ａ，３７ａの間隔に応じてボルト３２Ａをねじ込むことができる。また、長穴３５Ａ，３７ａを通じてボルト３２Ａがねじ込まれ、長穴３７ａから突出した部分に図７に示すようにナット３２Ｂを取り付けることにより、仕切板３１Ａの上記表面部分に沿って保持部材３６の第１取付部３７を固定することができる。
【００４９】
次に、上記のように構成される遮熱体３０Ａの取り付け方法の一例について、図８を参照しつつ説明する。
【００５０】
まず、一方の保持部材３６の丸穴３８ａを通じてネジ３２Ｃを側板１３の上記側面部分にねじ込み、一方の側板１３の上記側面部分に沿って保持部材３６の第２取付部３８を固定する。同様にして、他方の側板１３の上記側面部分に沿って他方の保持部材３６を固定する。
【００５１】
次いで、第１仕切板３３Ａの段差部分３３ａに、第２仕切板３４Ａの一部を重ね合わせる。
次いで、第１仕切板３３Ａの前端部から第２仕切板３４Ａの後端部までの長さが下方開口部１６の奥行き方向の長さに概ね対応するように、第１仕切板３３Ａの段差部分３３ａ上で、第２仕切板３４Ａを奥行き方向に摺動させる。
【００５２】
次いで、第１及び第２仕切板３３Ａ，３４Ａを一対の保持部材３６，３６の第２取付部３８に接触させる。なお、このとき、仕切板３１の長穴３５Ａがキッチンキャビネット１の奥行き方向よりも横方向(キッチンキャビネット１の横幅方向)に長く形成されているので、長穴３５Ａと長穴３７ａとが交差する連通部分が生じる。この連通部分の大きさは、ボルト３２Ａを挿入することが可能で、かつ、ボルト３２Ａのフランジ部よりも小さくなる。一方、長穴３５Ａと長穴３７ａとが互いに連通していない部分は、仕切板３１Ａ及び保持部材３６のいずれかに塞がれる。
【００５３】
次いで、下方開口１６を隙間無く塞ぐことができるように、第１及び第２仕切板３３Ａ，３４Ａの奥行き方向の位置を調整しながら、長穴３５Ａ及び長穴３７ａを貫通するようにボルト３２Ａを挿入する。
次いで、長穴３７ａから突出したボルト３２Ａの部分にナット３２Ｂを取り付ける。
このようにして、保持部材３６を介して仕切板３１Ａを一対の側板１３，１３のそれぞれの下端部に固定することができる。
【００５４】
以上、本発明の第２実施形態にかかる遮熱体３０Ａによれば、仕切板３１Ａが、第１及び第２仕切板３３Ａ，３４Ａを備えて、両者を互いに重ね合わせた状態で奥行き方向に摺動させることにより、仕切板３１Ａの奥行き方向の長さを調整できるように構成されている。これにより、仕切板３１Ａの奥行き方向の長さを、加熱調理器２０の下方の下方開口部１６の奥行き方向の長さに応じた適切な長さに調整することができる。
【００５５】
また、本発明の第２実施形態にかかる遮熱体３０Ａによれば、仕切板３１Ａの両側端部近傍に、仕切板３１に対するボルト３２Ａの取り付け位置を奥行き方向よりも横方向に長くした長穴３５Ａが調整部として設けられている。これにより、下方開口部１６の横方向の長さ（一対の保持部材３６，３６の長穴３７ａ，３７ａの横方向の間隔）に応じてボルト３２Ａの取り付け位置を横方向に調整することができる。
【００５６】
一方、従来のキッチンキャビネットにおいては、側板１３として集成材を固めたものが使用されることが多い。このため、例えば、側板１３は、厚み方向に対しては高強度を有する一方、当該厚み方向と直交する面方向においては強度が弱い部材で構成されることが多い。この場合、側板１３の面方向からネジをねじ込んだときに、側板１３が破損する恐れがある。
【００５７】
これに対して、本発明の第２実施形態にかかる遮熱体３０Ａによれば、保持部材３６を用いることで、側板１３の面方向からネジ３２Ｃをねじ込む必要性を無くすことができる。これにより、側板１３の破損の可能性を抑えて、保持部材３６を介して仕切板３１Ａと側板１３の下端部とを強固に固定することができる。
【００５８】
また、本発明の第２実施形態にかかる遮熱体３０Ａによれば、保持部材３６の第１取付部３７に奥行き方向に伸びる長穴３７ａを設けているので、この長穴３７ａを利用することにより、仕切板３１Ａの奥行き方向の長さを調整することができる。
【００５９】
また、本発明の第２実施形態にかかる遮熱体３０Ａによれば、保持部材３６の長穴３７ａが、仕切板３１Ａが第１取付部３７に固定された状態において、仕切板３１Ａ及びボルト３２Ａによって塞がれる位置に設けられている。これにより、下方開口部１６を完全に塞ぐことができるので、収納部１５内の温度上昇をさらに抑えることができる。
【００６０】
《第３実施形態》
図９及び図１０を用いて、本発明の第３実施形態にかかるキッチンキャビネットの遮熱体を説明する。図９は、本発明の第３実施形態にかかる遮熱体の仕切板の構成を示す分解斜視図である。図１０は、図９に示す仕切板の奥行き方向の長さを調整する様子を示す平面図である。
【００６１】
本第３実施形態にかかる遮熱体が、上記第２実施形態にかかる遮熱体３０Ａと異なる点は、第１及び第２仕切板３３Ａ，３４Ａに代えて、第１及び第２仕切板３３Ｂ，３４Ｂを備えている点である。それ以外の点については同様であるので、重複する説明は省略しつつ、以下に説明する。
【００６２】
第２仕切板３４Ｂは、上記第２実施形態の第２仕切板３４Ａの第１仕切板３３Ａ側の両角部に、奥行き方向に伸びる切り欠き部４２，４２を設けたものである。また、第１仕切板３３Ｂは、上記第２実施形態の第１仕切板３３Ａの第２仕切板３３Ａ側の両角部に、切り欠き部４２，４２に挿入されて摺動可能なガイド部４１，４１を設けたものである。
【００６３】
本発明の第３実施形態にかかる遮熱体によれば、図１０に示すように、第１仕切板３３Ｂの段差部分３３ａ上での第２仕切板３４Ｂの奥行き方向の摺動を、ガイド部４１，４１によってガイドすることができる。また、ガイド部４１，４１により、加熱調理器２０で発生する熱が第１及び第２仕切板３３Ｂ，３４Ｂの接触部分の側方から収納部１５へ漏れることを防ぐことができる。これにより、収納部１５内の温度上昇をさらに抑えることができる。
【００６４】
《第４実施形態》
図１１を用いて、本発明の第４実施形態にかかるキッチンキャビネットの遮熱体を説明する。図１１は、本発明の第４実施形態にかかる遮熱体を備えるキッチンキャビネットの一部拡大断面図である。
【００６５】
本第４実施形態にかかる遮熱体が、上記第２実施形態にかかる遮熱体３０Ａと異なる点は、ボルト３２Ａに代えて、第１固定部材の一例として弾性体で構成されるビス３２Ｄを備える点である。それ以外の点については同様であるので、重複する説明は省略しつつ、以下に説明する。
【００６６】
本発明の第４実施形態にかかる遮熱体によれば、仕切板３１Ａと保持部材３６との固定に、弾性を有するビス３２Ｄを用いているので、仕切板３１Ａの奥行き方向及び横方向の移動をビス３２Ｄの弾性力に応じて許容することができる。これにより、仕切板３１Ａの奥行き方向の長さの微調整と、仕切板３１Ａに対するビス３２Ｄの横方向の取り付け位置の微調整とを容易に行うことができる。
【００６７】
なお、本発明は上記実施形態に限定されるものではなく、その他種々の態様で実施できる。例えば、上記実施形態では、仕切板３１を２つの仕切板３３，３４で構成したが、仕切板３１は、３つ以上の仕切板で構成されてもよい。
【００６８】
また、上記では、調整部の一例として、切り欠き穴３５、長穴３５Ａを挙げたが、本発明はこれに限定されない。例えば、複数の丸穴を横方向に配列して調整部を構成してもよい。
【００６９】
また、上記第４実施形態では、第１固定部材の一例であるビス３２Ｄを弾性体で構成したが、固定部材又は第２固定部材に相当するネジ３２，３２Ｃを弾性体で構成しても同様の効果を得ることができる。
【００７０】
なお、上記様々な実施形態のうちの任意の実施形態を適宜組み合わせることにより、それぞれの有する効果を奏するようにすることができる。
【産業上の利用可能性】
【００７１】
本発明にかかるキッチンキャビネットの遮熱体は、キッチンキャビネットのタイプが異なっても、調理器設置部の下方開口部を適切に塞いで、収納部内の温度上昇を抑えることができるので、例えば、既設のキッチンキャビネットの加熱調理器を新しいものに入れ替える際に特に有用である。
【図面の簡単な説明】
【００７２】
【図１】本発明の第１実施形態にかかる遮熱体を備えるキッチンキャビネットの斜視図である。
【図２】図１に示すキッチンキャビネットを横方向に切った縦断面図である。
【図３】図１に示すキッチンキャビネットを奥行き方向に切った縦断面図である。
【図４】図３のＡ１方向から見た断面図である。
【図５】本発明の第１実施形態にかかる遮熱体をキッチンキャビネットに取り付ける様子を示す一部分解斜視図である。
【図６】本発明の第２実施形態にかかる遮熱体を備えるキッチンキャビネットの横断面図である。
【図７】図６のＢ１方向から見た断面図である。
【図８】本発明の第２実施形態にかかる遮熱体をキッチンキャビネットに取り付ける様子を示す一部分解斜視図である。
【図９】本発明の第３実施形態にかかる遮熱体の仕切板の構成を示す分解斜視図である。
【図１０】図９に示す仕切板の奥行き方向の長さを調整する様子を示す平面図である。
【図１１】本発明の第４実施形態にかかる遮熱体を備えるキッチンキャビネットの一部拡大断面図である。
【図１２】従来のキッチンキャビネットの斜視図である。
【図１３】従来のキッチンキャビネットの天板を外した状態を示す斜視図である。
【図１４】図１２に示すキッチンキャビネットを横方向に切った縦断面図である。
【図１５】図１２に示すキッチンキャビネットの奥行き方向に切った縦断面図である。
【符号の説明】
【００７３】
１    キッチンキャビネット
１１    天板
１２    小容量の収納部
１３    側板
１４    調理器設置部
１５    大容量の収納部
１６    下方開口部
１７    扉
２０    加熱調理器
２１    フランジ部
２２    加熱庫
３０    遮熱体
３１，３１Ａ    仕切板（遮熱体）
３２    ネジ（固定部材）
３２Ａ  ボルト（第１固定部材）
３２Ｂ  ナット（第１固定部材）
３２Ｃ  ネジ(第２固定部材)
３２Ｄ  弾性固定部材（第２固定部材）
３３，３３Ａ，３３Ｂ    第１仕切板
３３ａ  段差部分
３４，３４Ａ，３４Ｂ    第２仕切板
３５    切り欠き穴（調整部）
３５Ａ  長穴（調整部）
３６    保持部材
３７    第１取付部
３７ａ  長穴
３８    第２取付部
３８ａ  丸穴
４１    ガイド部
４２    切り欠き部
【図１】
0005103269.tif 000002
【図２】
0005103269.tif 000003
【図３】
0005103269.tif 000004
【図４】
0005103269.tif 000005
【図５】
0005103269.tif 000006
【図６】
0005103269.tif 000007
【図７】
0005103269.tif 000008
【図８】
0005103269.tif 000009
【図９】
0005103269.tif 000010
【図１０】
0005103269.tif 000011
【図１１】
0005103269.tif 000012
【図１２】
0005103269.tif 000013
【図１３】
0005103269.tif 000014
【図１４】
0005103269.tif 000015
【図１５】
0005103269.tif 000016